(57)【要約】【課題】開閉ドア以外の機構によってディスク駆動部内にディスクが二重に装填されるのを防止できるようにしたディスク装置を提供する【解決手段】ディスク駆動部内に他のディスクが装填されている状態において、新たなディスクＤを筐体の前板１０Ａの挿入部１０Ａ１に挿入すると、規制部材１４Ａ，１４ＢがディスクＤの縁部に押されて規制凹部１１３，１１４内に入り込んで規制され、ディスクＤの二重装填を防止できる。一方、ディスク駆動部内に他のディスクが装填されていない状態では、図示Ｘ２方向に移動させられた制御部材１６の凸部１６Ａ，１６Ｂが規制凹部１１３，１１４を塞ぐため、規制部材１４Ａ，１４Ｂは案内通路１１１，１１２内を離反方向へ動けるようになる。【選択図】    図５
2005032301.tif 000002
【特許請求の範囲】
【請求項１】
ディスク挿入部から筐体内に導入されたディスクを駆動するディスク駆動部と、前記筐体内のディスクを前記ディスク挿入部を介して外部へ搬出するディスク搬送手段と、が設けられたディスク装置において、
前記筐体内に導入されるディスクの移動中心線を挟んで左右両側に位置する対を成す規制部材と、前記規制部材を、ディスクが当たる初期位置から互いに離れる離反方向へ向けて案内する案内部と、前記規制部材を前記初期位置に向けて付勢する付勢手段とが設けられており、
前記案内部には、初期位置にある前記規制部材の前記離反方向への移動を規制する規制凹部と、前記規制凹部から抜け出た前記規制部材を前記離反方向へ向けて移動させる通路とが設けられ、
前記規制部材は、前記初期位置で筐体内方へ押されたときに前記規制凹部に入り込むように支持されており、ディスクの導入待機モードが設定されたときに、前記規制部材を前記規制凹部に入らない位置に規制する制御部材が設けられていることを特徴とするディスク装置。
【請求項２】
前記案内部の前記通路は、ディスクの前記移動中心線と直交する向きに形成されており、前記規制部材はディスクの外周縁に押されたときに、前記通路に案内されて前記移動中心線と直交する方向へ移動可能とされた請求項１記載のディスク装置。
【請求項３】
前記制御部材は、前記移動中心線と直交する向きに移動するものであり、この制御部材に、前記規制部材が前記規制凹部へ入るのを防止する規制部が設けられている請求項１または２記載のディスク装置。
【請求項４】
前記搬送手段は、前記導入待機モードが設定されるときに、ディスクに搬送力を与える搬送位置へ移動させられるものであり、前記搬送手段が前記搬送位置へ移動するときの移動力によって、前記制御部材が、前記規制部材を前記規制凹部に入らないように保持できる位置へ移動させられる請求項１ないし３のいずれかに記載のディスク装置。
【請求項５】
前記案内部は、導入されるディスクの板厚方向に間隔を空けて配置された第１の案内部と第２の案内部を有し、前記通路は第１の案内部と第２の案内部の双方に形成され、前記規制凹部が一方の案内部に形成されている請求項１ないし４のいずれかに記載のディスク装置。
【発明の詳細な説明】
【０００１】
【発明の属する技術分野】
本発明は、ディスク挿入部から筐体内にディスクが挿入されるディスク装置に係わり、特に筐体内でディスクを駆動しているときに、新たなディスクが二重に挿入されるのを防止する機構を備えたディスク装置に関する。
【０００２】
【従来の技術】
スロットイン方式のディスク装置では、ディスク装置の正面に設けられたノーズ部（フロントパネル）内にスリット状に開口する挿入口が形成されており、この挿入口を介してディスクの挿入および排出が行われる。
【０００３】
通常、前記挿入口の内側または外側には回動可能な開閉ドアが設けられており、既にディスク装置の内部にディスクが存在している状態で、新たに他のディスクが二重に挿入されるのを防止している。
【０００４】
このようなディスク装置の先行技術文献としては、例えば下記の特許文献１などが存在している。
【０００５】
【特許文献１】
特開平９−３５３９４号公報
【０００６】
【発明が解決しようとする課題】
しかし、上記従来のディスク装置では以下に示すような問題がある。
【０００７】
挿入口の内側に開閉ドアを設けた内開き式のディスク装置では、ディスク挿入時には移動するディスクの先端部が開閉ドアを内方に押圧することにより開閉ドアが自動的に回動させられて挿入されるが、ディスク駆動部から挿入口に向けてディスクを排出させる際には強制的に開閉ドアを内方に回動させるドア開放機構が必要である。
【０００８】
また、挿入口の外側に開閉ドアを設けた外開き式のディスク装置では、ディスク排出時には移動するディスクの先端部が開閉ドアを外方に押圧することにより自動的に前記開閉ドアを回動させて排出されるが、ディスク挿入時には、操作者が開閉ドアを手動で開放する場合を除き、ディスクが挿入口に接近したことを検知して開閉ドアを開放させるドア開放機構が必要である。
【０００９】
このように、開閉ドアを用いた場合には、内開きおよび外開きのいずれの方式であっても、前記ノーズ部内にドア開放機構を設ける必要がある。この結果、ノーズ部の板厚寸法が厚くなりやすいという問題がある。
【００１０】
またノーズ部内部には、表面に露出されるスイッチ類や液晶表示パネルなどの複数の部材が設けられるが、上記のようにノーズ部の挿入口まわりにドア開閉機構を設けるとスイッチや液晶表示パネルを配置する上で制約が生じ、ノーズ部の表面デザインを自由に行うことができないという問題が生じる。
【００１１】
本発明は上記従来の課題を解決するためのものであり、開閉ドア機構を用いることなくディスクが二重に誤挿入されるのを防止する機構を備えたディスク装置を提供することを目的としている。
【００１２】
【課題を解決するための手段】
本発明は、ディスク挿入部から筐体内に導入されたディスクを駆動するディスク駆動部と、前記筐体内のディスクを前記ディスク挿入部を介して外部へ搬出するディスク搬送手段と、が設けられたディスク装置において、
前記筐体内に導入されるディスクの移動中心線を挟んで左右両側に位置する対を成す規制部材と、前記規制部材を、ディスクが当たる初期位置から互いに離れる離反方向へ向けて案内する案内部と、前記規制部材を前記初期位置に向けて付勢する付勢手段とが設けられており、
前記案内部には、初期位置にある前記規制部材の前記離反方向への移動を規制する規制凹部と、前記規制凹部から抜け出た前記規制部材を前記離反方向へ向けて移動させる通路とが設けられ、
前記規制部材は、前記初期位置で筐体内方へ押されたときに前記規制凹部に入り込むように支持されており、ディスクの導入待機モードが設定されたときに、前記規制部材を前記規制凹部に入らない位置に規制する制御部材が設けられていることを特徴とするものである。
【００１３】
前記ディスク装置では、規制部材が付勢部材によって初期位置に設定されている。このときディスク挿入部からディスクを挿入しようとすると、このディスクにより規制部材が押されて規制凹部内に入り込み、規制部材が離反方向へ移動しないように規制されてディスクの挿入が阻止される。また、ディスクの導入待機モードでは、制御部材によって、規制部材が規制凹部に入り込まないように保持されているため、ディスク挿入部に挿入されるディスクの外周縁に押された規制部材が離反方向へ移動し、ディスクの導入が許容される。
【００１４】
また、筐体内からディスクが排出されるときには、このディスクで規制部材が規制凹部の開口方向へ押圧されるため、前記制御部材の規制部の位置にかかわらず前記規制部が規制凹部に入り込むことがない。よってディスクを常に筐体外へ確実に排出させることができる。
【００１５】
本発明では、前記案内部の前記通路は、ディスクの前記移動中心線と直交する向きに形成されており、前記規制部材はディスクの外周縁に押されたときに、前記通路に案内されて前記移動中心線と直交する方向へ移動可能とされていることが好ましい。
【００１６】
前記ディスク装置では、規制部材が前記移動中心線と直交する方向へ移動するため、この規制部材を動作させる機構を筐体の前後に渡って広い範囲に設ける必要がなく、機器の小型化と機構の高密度化に対応できる。
【００１７】
さらに、前記制御部材は、前記移動中心線と直交する向きに移動するものであり、この制御部材に、前記規制部材が前記規制凹部へ入るのを防止する規制部が設けられているものが好ましい。
【００１８】
前記制御部材を移動中心線と直交する向きに移動させることによって、規制部材の移動制御のための機構部分を前後の狭い領域に配置できる。
【００１９】
さらに本発明は、前記搬送手段は、前記導入待機モードが設定されるときに、ディスクに搬送力を与える搬送位置へ移動させられるものであり、前記搬送手段が前記搬送位置へ移動するときの移動力によって、前記制御部材が、前記規制部材を前記規制凹部に入らないように保持できる位置へ移動させられるものである。
【００２０】
前記制御部材が、搬送手段に連動して移動することにより、ディスクの挿入待機モードの際に、規制部材が規制凹部に入らない位置に必ず設定されるようになる。
【００２１】
また、本発明では、前記案内部は、導入されるディスクの板厚方向に間隔を空けて配置された第１の案内部と第２の案内部を有し、前記通路は第１の案内部と第２の案内部の双方に形成され、前記規制凹部が一方の案内部のみに形成されているものとして構成できる。
【００２２】
規制凹部が一方の案内部にのみ設けられていると、ディスクで規制部材が押圧されたときに、規制部材は一方の端部が傾いた姿勢で前記規制凹部において規制されるようになる。したがって、規制部材が規制凹部に入らないように規制する際には、前記制御部材によって規制部材の一方の端部のみを規制凹部に入らないように保持すればよく、導入されるディスクの一方の側にのみ制御部材を設ければよくなって、構造を簡単にできる。
【００２３】
【発明の実施の形態】
図１は本発明のディスク装置を前方から示す外観斜視図、図２はディスク装置の内部構造を示す平面図、図３はディスク装置の内部構造を示す側面図、図４は本発明の主要部である制御部材と規制部材を示すものであり、ディスク装置のディスク挿入部を前方から示す部分斜視図、図５および図６は制御部材と規制部材の動作を示しており、図５は規制部材が規制される状態を示し、図６は規制部材を規制しないディスクの挿入待機モードを示している。
【００２４】
図１および図２に示すディスク装置１は、直径が１２ｃｍのＣＤ（コンパクトディスク）またはＤＶＤなどのディスクが複数枚ストックされ、その中からいずれかのディスクが選択されて駆動されるいわゆるディスクチェンジャータイプである。
【００２５】
筐体１０は金属板で形成されたものであり、その前部（Ｙ２側）には、前記筐体１０の一部を構成しているノーズ部１０ａが設けられている。ノーズ部１０ａは合成樹脂製であり、その前面の表示・操作面には液晶表示パネル２や各種操作釦などが配置されている。前記ノーズ部１０ａには、幅方向に延びるスリット状の挿入口１０ｂが設けられている。
【００２６】
図２および図３に示すように、筐体１０内にはディスク設置部３が設けられ、このディスク設置部３に設けられた複数のディスクホルダ４１のそれぞれに、ディスクＤが１枚ずつ保持されて、ディスクの厚み方向に重ねられた状態で収納される。
【００２７】
前記挿入口１０ｂと前記ディスク設置部３との間には、搬送手段２０とガイド部材３０とが間隔を空けて設けられている。前記搬送手段２０はＸ１側に位置している。この搬送手段２０は、搬送ベース２６上に複数の搬送ローラ２１，２２，２３，２４が設けられ、搬送ローラ２１，２２，２３，２４は全てが同期して回転できるように歯車（図示せず）を介して連動している。Ｘ２側にはガイド部材３０が設けられている。このガイド部材３０のＸ１側に向く側面にはＹ方向に延びる案内溝が形成されている。
【００２８】
前記搬送ベース２６は、Ｘ方向へ移動する右側移動部材２７に固定されており、前記ガイド部材３０は、同じくＸ方向へ移動する左側移動部材２８に固定されている。前記右側移動部材２７にはラック部２７ａが形成され、前記左側移動部材２８にはラック部２８ａが形成されている。前記ラック部２７ａとラック部２８ａは互いに対向しており、両ラック部２７ａと２８ａが共通のピニオン歯車２９に噛み合っている。図示しないモード切換モータによって前記ピニオン歯車２９が駆動されると、各移動部材２７と２８とが、同期してＸ方向へ移動させられ、これによって搬送手段２０とガイド部材３０と対向距離が変化させられる。
【００２９】
ディスク設置部３内のディスクが選択されるとき、およびディスクが駆動されるときは、前記搬送手段２０と前記ガイド部材３０とが図２において実線で示す位置へ移動してその間隔が広げられ、搬送手段２０およびガイド部材３０がディスクＤから離れる。ディスクの導入待機モードでは、前記ピニオン歯車２９の動力によって、前記搬送手段２０とガイド部材３０とが矢印（ｉ），（ｉ）方向へ移動してその間隔が狭まり、挿入口１０ｂから挿入されるディスクの両側縁部を、搬送ローラ２１，２２，２３，２４とガイド部材３０の前記案内溝とで挟めるようになる。
【００３０】
前記ガイド部材３０と搬送手段２０とでディスクが挟持された状態で搬送ローラ２１，２２，２３，２４が同期して駆動されると、ディスクＤはガイド部材３０のガイド溝にガイドされながらＹ１方向へ送り込まれる。また前記搬送ローラ２１，２２，２３，２４が逆方向へ回転することで、ディスクＤを挿入口１０ｂから外方へ排出させることができる。
【００３１】
図３に示すように、前記ディスク設置部３では、複数本のスクリュー軸４２が垂直に向けられて回転自在に支持され、全てのスクリュー軸４２がモータの動力によって同期して回転駆動される。
【００３２】
全てのスクリュー軸４２の外周にはスクリュー溝４２ａが形成されている。スクリュー溝４２ａは、上部と下部においてピッチが密であり、中間部分でピッチが疎となっている。個々のディスクホルダ４１は、全ての前記スクリュー軸４２のスクリュー溝４２ａと噛み合っており、スクリュー軸４２の回転によりそれぞれのディスクホルダ４１が上下に移動させられる。
【００３３】
ディスクホルダ４１は、スクリュー溝４２ａ上部と下部のピッチが密である部分に重ねられてストックされる。スクリュー軸４２の回転により、選択されたディスクホルダ４１Ａがスクリュー溝４２ａの中間部分のピッチが疎の部分に移動させられて停止すると、このディスクホルダ４１Ａに保持されたディスクＤが前記ガイド部材３０と搬送手段２０とで挟持可能な高さに設定される。
【００３４】
図３に示すように、筐体１０内の挿入部１０Ａ１とディスク設置部３との間には、支持ベース４がエアーダンパー５とコイルスプリング５ｂとで支持されて設けられている。筐体１０の側板にはロック部材７がＹ１−Ｙ２方向へ摺動自在に支持されており、このロック部材７に形成されたロック穴７ａ，７ａに、前記支持ベース４に設けられた軸６，６が挿入されている。
【００３５】
前記支持ベース４には駆動ユニット（ディスク駆動部）５０が搭載されている。前記駆動ユニット５０は、ドライブシャーシ５１を有しており、このドライブシャーシ５１にスピンドルモータ５２と、このスピンドルモータ５２で駆動されるターンテーブル５３が設けられている。ドライブシャーシ５１の上方にはクランプシャーシ５４が設けられ、このクランプシャーシ５４にクランパ５５が回転自在に支持されている。
【００３６】
また、前記ドライブシャーシ５１には、図示しない光ヘッド装置と前記光ヘッド装置をＸ方向に駆動させるヘッド駆動機構とが設けられている。
【００３７】
図１、図２および図４に示すように、筐体１０のＹ２側に向けられている前板１０Ａには、幅方向（Ｘ１−Ｘ２方向）に延びるスリット状の前記挿入部１０Ａ１が設けられている。挿入部１０Ａ１は前記ノーズ部１０ａの挿入口１０ｂと同じ高さ位置に配置されている。この実施の形態では、前記挿入口１０ｂおよび前記挿入部１０Ａ１、さらにその近傍の領域がディスク挿入部である。
【００３８】
図２、図４および図５に示すように、前記挿入部１０Ａ１の上部および下部には前方に突出する第１の案内部材１１と第２の案内部材１２とが設けられている。第１の案内部材１１と第２の案内部材１２は、導入されるディスクＤの板厚方向である図示Ｚ方向に間隔を空けて、互いに平行に対向している。
【００３９】
前記第１の案内部材１１には、案内通路１１１と案内通路１１２が形成され、第２の案内部材１２には案内通路２１１と案内通路２１２が形成されている。図４と図５では、前記挿入口１０ｂおよび挿入部１０Ａ１から挿入され、前記ガイド部材３０と搬送手段２０とで挟持されて筐体１０の内方へ搬入されるディスクＤの移動中心線をＯｄで示している。
【００４０】
第１の案内部材１１に設けられた前記一対の案内通路１１１と１１２は、前記移動中心線Ｏｄから左右に等距離離れた位置を起点として、前記移動中心線Ｏｄと直交する向きで左右外側に向かって延びている。同様に、第２の案内部材１２に設けられた一対の案内通路２１１と２１２は、前記移動中心線Ｏｄから左右に等距離離れた位置を起点として、前記移動中心線Ｏｄと直交する向きで左右外側に向かって延びている。
【００４１】
そして、第１の案内部材１１の前記案内通路１１１と第２の案内部材１２の案内通路２１１は、Ｙ方向の幅寸法が同じで、Ｘ方向の長さ寸法が同じであり、上下方向（Ｚ方向）において同じ位置に形成されている。これは第１の案内部材１１の前記案内通路１１２と第２の案内部材１２の前記案内通路２１２との関係においても同じである。
【００４２】
図４に示すように、第２の案内部材１２に形成されている案内通路２１１は、移動中心線Ｏｄに向く内側端部２１１ａに至るまで、Ｙ方向での幅寸法が一定である。図１に示すように、第２の案内部材１２に形成されている他方の案内通路２１２も、移動中心線Ｏｄに向く内側端部２１２ａに至るまで、Ｙ方向での幅寸法が一定である。
【００４３】
一方、第１の案内部材１１の案内通路１１１の前記移動中心線Ｏｄに向く内側端部では、前記案内通路１１１から連続して筐体１０の内方に向かって凹状に形成された規制凹部１１３が形成されている。図５に示すように、前記規制凹部１１３は、移動中心線Ｏｄから離れる側の側面が、前記移動中心線Ｏｄとほぼ平行な規制面１１３ａとなっており、前記移動中心線Ｏｄ側の側面が、筐体１０の内部に向かうにしたがって前記移動中心線Ｏｄから徐々に離れるように傾斜した傾斜面１１３ｂとなっている。
【００４４】
第１の案内部材１１に形成された他方の案内通路１１２は、移動中心線Ｏｄを介して前記案内通路１１１と対称であり、案内通路１１２の内側端部には、筐体１０の内方へ向けて凹状に形成された規制凹部１１４が形成されている。この規制凹部１１４も、規制面１１４ａと傾斜面１１４ｂを有している。
【００４５】
図４に示すように、前記第１の案内部材１１の案内通路１１１と、第２の案内部材１２の案内通路２１１には、規制部材１４Ａが挿通されている。この規制部材１４Ａは軸部１４ｂを有しており、この軸部１４ｂが、案内通路１１１と案内通路２１１に最少の隙間を介して摺動自在に挿通されている。前記規制部材１４Ａにはフランジ部１４ａが一体に形成されており、このフランジ部１４ａが第１の案内部材１１の上面に設置されて下方向への抜け止めがなされている。なお、第２の案内部材１２の下側において、軸部１４ｂの下端に抜け止めリングが嵌着されていてもよい。
【００４６】
第１の案内部材１１の他方の案内通路１１２と、第２の案内部材１２の他方の案内通路２１２に、規制部材１４Ｂが挿通されている。規制部材１４Ｂは、前記規制部材１４Ａと同じものであり、軸部１４ｂが案内通路１１２と２１２に摺動自在に挿通され、フランジ部１４ａが第１の案内部材１１の上面に設置されている。
【００４７】
前記規制部材１４Ａと規制部材１４Ｂは、互いに接近する位置、すなわち図４などに示す初期位置に向けて付勢部材１５により付勢されている。前記付勢部材１５は、規制部材１４Ａと規制部材１４Ｂを連結する引っ張りコイルばねであってもよいし、あるいは、規制部材１４Ａと規制部材１４Ｂを個別に付勢する引っ張りコイルばねやトーションばね、あるいは板ばねなどであってもよい。
【００４８】
前記前板１０Ａの前面で、且つ第１の案内部材１１の上方には、前記移動中心線Ｏｄに直交する方向であるＸ１−Ｘ２方向に摺動自在な制御部材１６が設けられている。前記制御部材１６には、規制部として機能する凸部１６Ａと凸部１６Ｂが前方に向けて隆起形成されている。図４ないし図６に示すように、前記凸部１６Ａと凸部１６ＢのＸ２側に向く側部には傾斜面１６ａ，１６ａが形成されている。
【００４９】
図５に示すように、制御部材１６がＸ１側に移動していると、前記凸部１６Ａと凸部１６Ｂは、それぞれ前記規制凹部１１３と１１４から離れている。図６に示すように、制御部材１６がＸ２方向へ移動すると、前記凸部１６Ａと突部１６Ｂが規制凹部１１３と１１４を塞ぐようになる。また、制御部材１６がＸ２方向へ移動するときに、前記傾斜面１６ａ，１６ａにより、規制凹部１１３と１１４内に倒れ込んでいる規制部材１４Ａ，１４Ｂの上端部分を、前記規制凹部１１３，１１４から前方へ抜け出るように押圧することができる。
【００５０】
図６に示すように、前記制御部材１６はコイルスプリングなどの付勢部材１７によって、Ｘ１方向へ付勢されている。すなわち凸部１６Ａと凸部１６Ｂが、前記規制凹部１１３，１１４から外れる方向へ付勢されている。
【００５１】
図２に示すように、前記搬送手段２０を移動させる右側移動部材２７には、前方へ突出する駆動ピン１８ａが設けられており、この駆動ピン１８ａが前記制御部材１６に掛止されている。前記右側移動部材２７がＸ２方向へ移動し、搬送手段２０が実線の退避位置から（ｉ）方向へ移動してディスクに搬送力を伝達できる位置へ移動する際に、前記駆動ピン１８ａによって制御部材１６がＸ２方向へ移動させられ、前記凸部１６Ａと凸部１６Ｂで規制凹部１１３と１１４が塞がれる。
【００５２】
次に、上記ディスク装置１の動作について説明する。
（ディスクの挿入待機状態）
このディスク装置１のディスクの導入待機モードが設定される際は、図２に示す駆動ユニット５０が実線で示す位置に停止した状態で、ディスク設置部３では、ディスクを保持していない空のディスクホルダ４１Ａが選択されて、選択されたディスクホルダ４１Ａが、図３に示すように、搬送手段２０およびガイド部材３０と同じ高さに待機する。
【００５３】
また、図３に示すように、ロック部材７がＹ１方向へ移動し、ロック部材７に形成されたロック穴７ａ，７ａで軸６，６が拘束されて、支持ベース４が位置決めされて固定される。ディスクの導入待機モードが設定されるときには、前記駆動ユニット５０は、図２において実線で示す位置に待機していてもよいし、あるいは（ｉｉ）方向へ移動して図２において破線で示す位置に移動していても、どちらであってもよい。
【００５４】
そして、導入待機モードでは、図２に示すピニオン歯車２９によって、右側移動部材２７がＸ２方向へ移動させられ、左側移動部材２８がＸ１方向へ移動させられて、搬送手段２０の各搬送ローラ２１，２２，２３，２４と、ガイド部材３０は、ディスクＤを挟持できる間隔に移動する。
【００５５】
このとき、右側移動部材２７に設けられた駆動ピン１８ａによって制御部材１６がＸ２方向へ押圧駆動される。図６に示すように、制御部材１６がＸ２方向へ移動すると、この制御部材１６に設けられた凸部１６Ａ，１６Ｂにより規制凹部１１３，１１４が塞がれる。
【００５６】
図４に示すように、第１の案内部材１１のみに規制凹部１１３，１１４が形成され、第２の案内部材１２には規制凹部が形成されていないため、各規制部材１４Ａ，１４Ｂは、第２の案内部材１２の案内通路２１１，２１２を支点として、軸部の上端が規制凹部１１３，１１４内に入り込むように倒れ込んでいることがある。しかし、制御部材１６が、第１の案内部材１１の上方においてＸ２方向へ移動するため、この制御部材１６に設けられた凸部１６Ａ，１６Ｂによって、規制部材１４Ａ，１４Ｂの上端をＹ２方向へ押し戻すことができる。
【００５７】
その結果、導入待機モードでは、規制部材１４Ａと１４Ｂが付勢部材１５によって互いに接近する初期位置に設定され、且つ規制凹部１１３，１１４内に入らないように規制される。
【００５８】
ディスクＤがノーズ部１０ａの挿入口１０ｂから挿入され、第１の案内部材１１と第２の案内部材１２との間に入ると、ディスクＤの外周縁が規制部材１４Ａ，１４Ｂに当接する。図６に示すように、規制部材１４Ａ，１４Ｂの上端は、凸部１６Ａ，１６Ｂによって規制凹部１１３，１１４内に入り込まないように規制されているため、ディスクＤがさらに筐体１０内に押し込まれると、ディスクＤの外周縁によって前記規制部材１４Ａと規制部材１４Ｂが、互いに間隔が広げられるように離反方向へ向けて移動させられる。
【００５９】
このとき、規制部材１４Ａは、案内通路１１１，２１１に案内されてＸ２方向へ直線的に移動し、規制部材１４Ｂは、案内通路１１２，２１２に案内されてＸ１方向へ直線的に移動する。
【００６０】
よって、ディスクＤは、規制部材１４Ａ，１４Ｂで規制されることなく、第１の案内部材１１と第２の案内部材１２との間を通過でき、さらに挿入部１０Ａ１を通過して筐体１０内に入り込むことができる。そして、ディスクＤが搬送手段２０とガイド部材３０とで挟持され、搬送手段２０の各搬送ローラ２１，２２，２３，２４の回転力によりＹ１方向へ送り込まれる。
【００６１】
この送り込まれたディスクＤは、そのまま選択されたディスクホルダ４１Ａに保持させてもよいし、あるいは図２において破線で示す位置にある駆動ユニット５０にクランプさせて駆動してもよい。
【００６２】
（ディスクの挿入規制状態）
前記ディスクの導入待機モード以外のモードのときは、基本的にディスクの二重挿入を防止する挿入規制状態となる。この挿入規制状態は、図２に示すピニオン歯車２９によって、右側移動部材２７がＸ１方向へ移動させられ、左側移動部材２８がＸ２方向へ移動させられることにより設定される。すなわち、搬送手段２０とガイド部材３０が、図２において実線で示すように、その間隔が広げられてディスクＤに当たらない位置に移動することにより設定される。
【００６３】
このディスク挿入規制状態が設定されるのは、駆動ユニット５０が図２と図３において実線で示す位置にあり、ディスク設置部３内においてスクリュー軸４２が回転させられて、ディスクホルダ４１が上下に移動しているディスク選択動作のとき、および駆動ユニット５０が図２で破線で示す位置へ移動し、ディスクＤがディスクホルダ４１ＡからややＹ２方向へ引き出され、このディスクＤが駆動ユニット５０内のターンテーブル５３とクランパ５５とでクランプされて回転駆動されているときなどである。
【００６４】
このとき、右側移動部材２７と共に駆動ピン１８ａがＸ１方向へ移動しているため、制御部材１６にＸ２方向への押圧力が作用しておらず、図５に示すように、制御部材１６は付勢部材１７の付勢力によってＸ１方向へ移動している。よって制御部材１６に設けられた凸部１６Ａと凸部１６Ｂは、規制凹部１１３，１１４と重ならない位置へ移動している。
【００６５】
この挿入規制状態のときに、初期位置にある規制部材１４Ａの筐体奥側には規制凹部１１３が対向し、同じく初期位置にある規制部材１４Ｂの筐体奥側には規制凹部１１４が対向している。
【００６６】
図５に示すように、挿入規制状態において挿入口１０ｂからディスクＤが挿入されると、ディスクＤの外周縁が、第１の案内部材１１と第２の案内部材１２との間に入って、前記外周縁が規制部材１４Ａ，１４Ｂのそれぞれの軸部１４ｂ，１４ｂに当たる。そしてディスクＤの外周縁で押された規制部材１４Ａ，１４Ｂは、互いに離れようとしながら筐体奥側に押し込まれようとする。このとき規制部材１４Ａの軸部１４ｂは、規制凹部１１３の傾斜面１１３ｂに沿って規制面１１３ａに当たり、規制部材１４Ｂの軸部１４ｂは、傾斜面１１４ｂに沿って規制面１１４ａに当たる。
【００６７】
それ以上ディスクＤを押し込もうとしても、規制部材１４Ａが規制凹部１１３で規制され、規制部材１４Ｂが規制凹部１１４で規制されて、規制部材１４Ａ，１４Ｂが離反方向へ動くことができない。よって、ディスクＤが筐体１０内に挿入されるのが阻止され、ディスク設置部３内のディスクが選択されている選択動作中、またはディスクＤが駆動ユニット５０で駆動されているときに、新たなディスクが筐体１０内に入り込むのが阻止される。
【００６８】
（ディスクの排出動作）
筐体１０内からディスクが排出されるときは、図２または図３において実線で示すように、駆動ユニット５０がＹ２方向へ移動して待機している状態、あるいは駆動ユニット５０が図２に示す破線の位置に停止している状態である。このとき、右側移動部材２７がＸ２方向へ移動し、左側移動部材２８が１方向へ移動して、ディスクホルダ４１Ａに保持されているディスクＤ、あるいは駆動ユニット５０による駆動が完了したディスクが、搬送手段２０とガイド部材３０とで挟持される。よって、駆動ピン１８ａは、Ｘ２方向へ移動し、制御部材１６がＸ２方向へ移動させられて、凸部１６Ａ，１６Ｂによって、規制部材１４Ａ，１４Ｂの軸部１４ｂ，１４ｂの上端が規制凹部１１３，１１４内に入り込まないように規制されている。
【００６９】
搬送手段２０の搬送ローラ２１，２２，２３，２４の搬送力で、ディスクＤがＹ２方向へ搬出されると、規制凹部１１３，１１４の規制を受けていない規制部材１４Ａと１４Ｂは、ディスクＤの外周縁に押されて、互いに離れるように移動でき、ディスクＤは規制部材１４Ａ，１４Ｂで規制されることなく排出される。
【００７０】
また、本発明では、前記搬送手段２０がディスクＤを搬送できる位置に移動しているときに、制御部材１６がＸ２方向へ移動せずに、凸部１６Ａ，１６Ｂによって規制凹部１１３，１１４が塞がれない構造であっても、ディスクＤを排出させることが可能である。
【００７１】
例えば、図５に示すように、凸部１６Ａ，１６Ｂが規制凹部１１３，１１４に重なっていない状態において、前記搬送手段２０によって、筐体１０内からディスクＤが挿入部１０Ａ１を通過して排出されると、ディスクの排出側の外周縁が第１の案内部材１１と第２の案内部材１２との間において、規制部材１４Ａ，１４Ｂの軸部１４ｂ，１４ｂに当たる。このとき、ディスクＤによって、規制部材１４Ａ，１４Ｂが規制凹部１１３，１１４と逆向きのＹ２方向に押されるため、規制部材１４Ａ，１４Ｂは前記規制凹部１１３，１１４から抜け出て、ディスクＤの外周縁に沿って互いに離れるＸ１方向とＸ２方向へ移動する。したがって、ディスクＤは排出方向へ移動できる。
【００７２】
ここで、図４に示すように、前記規制部材１４Ａの軸部１４ｂは、下端部分が第２の案内部材１２の案内通路２１１に支持され、軸部１４ｂの上部が、第１の案内部材１１に形成された前記規制凹部１１３に対向している。これは他方の規制部材１４Ｂにおいても同じである。よって、前記のように、制御部材１６を第１の案内部材１１の上側のみに設け、凸部１６Ａ，１６Ｂを規制部材１４Ａ，１４Ｂの上端のみに対向させることによって、規制部材１４Ａ，１４Ｂが規制凹部１１３，１１４に規制されるのを防止できる。
【００７３】
さらに、前記のように図５の状態で、ディスクＤが排出される構造である場合に、排出されるディスクＤが第１の案内部材１１と第２の案内部材１２との間で軸部１４ｂ，１４ｂに当たったときに、軸部１４ｂ，１４ｂの上部が規制凹部１１３，１１４内に倒れ込んでいても、前記ディスクＤからの押圧力によって、前記規制凹部１１３，１１４から確実に抜け出ることができる。
【００７４】
例えば、図４において、第１の案内部材１１と第２の案内部材１２の双方に前記規制凹部１１３が形成されていることを想定すると、初期位置にある規制部材１４Ａの軸部１４ｂは、第１の案内部材１１と第２の案内部材１２の双方に設けられた規制凹部内に入り込んでいる状態が有り得る。この状態で、ディスクＤが排出され、第１の案内部材１１と第２の案内部材１２との間で、ディスクＤの外周縁が軸部１４ｂに当たって軸部１４ｂがＹ２方向へ押されたときに、軸部１４ｂを垂直姿勢のままＹ２方向へ押し出すのは困難であり、軸部１４ｂが傾いたままＹ２方向へ押し出される可能性が高くなる。このとき、第１の案内部材１１に形成された規制凹部と第２の案内部材１２に形成された規制凹部のいずれかから軸部１４ｂが抜け出せない状態となることがあり得る。
【００７５】
一方、前記実施の形態において図４に示すように、規制部材１４Ａの軸部１４ｂの上部のみが規制凹部１１３に対向している構造であると、排出されるディスクＤで軸部１４ｂがＹ２方向へ押されたときに、軸部１４ｂは、下側の案内通路２１１への挿入部分を支点として、上部がＹ２方向へ倒れ出るように動作することになり、軸部１４ｂが規制凹部１１３から確実に抜け出るようになる。
【００７６】
ただし、本発明は、図４に示すように案内通路１１１と２１１の一方にのみ規制凹部１１３が形成されているものに限定されるものではなく、規制部材１４Ａ，１４Ｂが垂直姿勢のままＹ２方向へ押し出されるように、支持構造を工夫することによって、案内通路１１１と２１１の双方に規制凹部を形成することもできる。
【００７７】
なお、本発明は前記実施の形態に限定されるものではなく、例えば規制部材１４Ａ，１４Ｂのそれぞれが支持アームの先部に設けられ、支持アームが回動するように動作し、この支持アームの回動動作によって、規制部材１４Ａ，１４Ｂが初期位置から左右両側へ移動する構造であってもよい。
【００７８】
また、前記実施の形態では、ディスクの導入待機モードが設定されたときに、予め搬送手段２０とガイド部材３０をディスクを挟持できる間隔に移動させるようにしているが、導入待機モード設定時に先ず搬送手段２０とガイド部材３０をディスクの直径よりも狭い間隔で対向させておき、ディスクＤが規制部材１４Ａ、１４Ｂを押し広げながら挿入され始めた時点（規制部材１４Ａ，１４Ｂが規制凹部１１３，１１４から外れて案内通路１１１，１１２にガイドされた時点）で搬送手段２０とガイド部材３０との間隔をディスクＤの挟持が可能な距離となるように広げるようにしても良い。
【００７９】
【発明の効果】
以上のように本発明では、対をなす規制部材を設けることにより、ディスクの二重挿入を防止でき、また筐体内からディスクを確実に排出させることができる。しかも規制部材の配置およびその制御構造を簡単にでき、装置内での最少スペース内に配置できるようになる。
【図面の簡単な説明】
【図１】本発明のディスク装置の筐体を示す外観斜視図、
【図２】ディスク装置の内部構造を示す平面図、
【図３】ディスク装置の内部構造を示す側面図、
【図４】本発明の主要部である制御部材と規制部材を示すディスク装置の挿入部の部分斜視図、
【図５】制御部材と規制部材の動作を示しており、規制部材が規制凹部に規制される状態を示す平面図、
【図６】制御部材と規制部材の動作を示しており、規制部材が離反方向へ移動自在な状態を示す平面図、
【符号の説明】
１  ディスク装置
３  ディスク設置部
４  支持ベース
１０  筐体
１０ａ  ノーズ部
１０ｂ  挿入口
１０Ａ  筐体の前板
１０Ａ１  挿入部
１１  第１の案内部材
１２  第２の案内部材
１４Ａ，１４Ｂ  規制部材
１４ａ  フランジ部
１４ｂ  軸部
１５  付勢部材
１６  制御部材
１６Ａ，１６Ｂ  凸部
１８ａ  駆動ピン
２０  搬送手段
２１，２２，２３，２４  搬送ローラ
３０  ガイド部材
５０  駆動ユニット（ディスク駆動部）
１１１，１１２，２１１，２１２  案内通路
１１３，１１４  規制凹部
Ｄ  ディスク
【図１】
2005032301.tif 000003
【図２】
2005032301.tif 000004
【図３】
2005032301.tif 000005
【図４】
2005032301.tif 000006
【図５】
2005032301.tif 000007
【図６】
2005032301.tif 000008